(57)【特許請求の範囲】
【請求項１】
一定面積上に降る雨水を一時的に貯留せしめる貯水タンク（５）と、この貯水タンク（５）の重量を測定する重量測定装置（７）と、前記貯水タンク（５）の底面に貯水タンク（５）内の雨水を排出する開閉自在な排水バルブ（９）とを、上方を開放した外筒（１１）内に備え、前記貯水タンク（５）の外周における上下方向のほぼ中央部にリング部材（２７）が装着され、このリング部材（２７）の外周に適宜な間隔で上下方向へ延伸したバー（２９）の上端が取り付けられると共に、前記外筒（１１）の外周における上下方向のほぼ中央部の左右部に支持プレート（３３Ｌ、３３Ｒ）が一体化され、この支持プレート（３３Ｌ、３３Ｒ）の外側に上下方向へ延伸して設けられた支持フレーム（３５Ｌ、３５Ｒ）の下部に下部フレーム（３７）が取り付けられ、前記支持フレーム（３５Ｌ、３５Ｒ）と支持プレート（３３Ｌ、３３Ｒ）とに自動水平機構のうちの一方の方向に水平自在な第１水平機構（３９）が設けられ、前記外筒（１１）とリング部材（２７）とに自動水平機構のうちの他方の方向に水平自在な第２水平機構（４９）が設けられ、
前記第１水平機構（３９）が、支持フレーム（３５Ｌ、３５Ｒ）の上端部に形成されたＵ字形状の溝（４１）と、支持フレーム（３５Ｌ、３５Ｒ）の上下方向における中央部より上方部において前後方向に形成された長穴（４３）と、前記支持プレート（３３Ｌ、３３Ｒ）の上部に取り付けられ、前記溝（４１）にはまり込むピン（４５）と、前記長穴（４３）に取り付けられる固定用ボルト（４７）とで構成されていると共に、前記第２水平機構（４９）が、前記外筒（１１）の内周における前後において、前記リング部材（２７）の外側に一体化され、左右方向へ延伸した支持バー（５１Ｆ、５１Ｂ）と、この支持バー（５１Ｆ、５１Ｂ）の左右方向の真ん中の位置に形成されたＵ字形状の溝（５３）と、前記リング部材（２７）に取り付けられ、前記溝（５３）にはまり込んだピン（５５）とで構成されていることを特徴とする雨量計。
【発明の詳細な説明】
【０００１】
【発明の属する技術分野】
この発明は、雨量強度を検出せしめる雨量計に関する。
【０００２】
【従来の技術】
従来の転倒ます型雨量計１０１は、例えば図９に示されているように、露場１０３に基礎コンクリート１０５を設置し、アンカーボルト１０７で設置されている。その際の基礎コンクリート１０５の高さは、地表より例えば５０ｍｍ位とし、受水口の口金部の高さは例えば５０ｃｍ位が適当とされている。
【０００３】
【発明が解決しようとする課題】
ところで、上述した従来の転倒ます型雨量計１０１では、例えば図１０に示されているように、水準器を使用し、水平になるように脚１０９に対して水平調整用ナット１１１で調整している。また、配線は、ビニール電線管等に入れ埋設している。その結果、その調整が人手により大変で面倒であると共に水準器が必要であった。
【０００４】
この発明は上述の課題を解決するためになされたもので、その目的は、水準器を不必要とすると共に人手によらず自動で水平に調整できるようにした雨量計を提供することにある。
【０００５】
【課題を解決するための手段】
上記目的を達成するために請求項１によるこの発明の雨量計は、一定面積上に降る雨水を一時的に貯留せしめる貯水タンクと、この貯水タンクの重量を測定する重量測定装置と、前記貯水タンクの底面に貯水タンク内の雨水を排出する開閉自在な排水バルブとを、上方を開放した外筒内に備え、前記貯水タンクの外周における上下方向のほぼ中央部にリング部材が装着され、このリング部材の外周に適宜な間隔で上下方向へ延伸したバーの上端が取り付けられると共に、前記外筒の外周における上下方向のほぼ中央部の左右部に支持プレートが一体化され、この支持プレートの外側に上下方向へ延伸して設けられた支持フレームの下部に下部フレームが取り付けられ、前記支持フレームと支持プレートとに自動水平機構のうちの一方の方向に水平自在な第１水平機構が設けられ、前記外筒とリング部材とに自動水平機構のうちの他方の方向に水平自在な第２水平機構が設けられ、
前記第１水平機構が、支持フレームの上端部に形成されたＵ字形状の溝と、支持フレームの上下方向における中央部より上方部において前後方向に形成された長穴と、前記支持プレートの上部に取り付けられ、前記溝にはまり込むピンと、前記長穴に取り付けられる固定用ボルトとで構成されていると共に、前記第２水平機構が、前記外筒の内周における前後において、前記リング部材の外側に一体化され、左右方向へ延伸した支持バーと、この支持バーの左右方向の真ん中の位置に形成されたＵ字形状の溝と、前記リング部材に取り付けられ、前記溝にはまり込んだピンとで構成されていることを特徴とするものである。
【０００６】
したがって、降られた雨水は貯水タンクに一時的に貯留される。そして、貯水タンクに溜められた雨水は重量測定装置により定期的に測定されて降雨量が計測される。雨量計を設置する際には、支持フレーム本体が設置場所に置かれると、外筒が自動水平機構の第１水平機構、第２水平機構により自動的に水平が調整される。また、自動水平機構が、支持フレーム本体に対して雨量計本体を前後左右方向の２方向のうち一方の方向に水平自在な第１水平機構と、前記外筒に対して前記貯水タンクを他方の方向に水平自在な第２水平機構とからなっており、しかも、第１水平機構が、支持フレームの上端部に形成されたＵ字形状の溝と、支持フレームの上下方向における中央部より上方部において前後方向に形成された長穴と、前記支持プレートの上部に取り付けられ、前記溝にはまり込むピンと、前記長穴に取り付けられる固定用ボルトとで構成されていると共に、第２水平機構が、前記外筒の内周における前後において、前記リング部材の外側に一体化され、左右方向へ延伸した支持バーと、この支持バーの左右方向の真ん中の位置に形成されたＵ字形状の溝と、前記リング部材に取り付けられ、前記溝にはまり込んだピンとで構成されているから、前後左右方向の２方向の調整が、簡単かつ容易に行われる。
【０００７】
而して、水準器を不必要とすると共に人手によらず自動で水平に調整される。
【０００８】
【発明の実施の形態】
以下、この発明の実施の形態について図面を参照して詳細に説明する。
【０００９】
図１〜図６を参照するに、雨量計１は雨量計本体３を備えており、一定面積上に降る雨水を一時的に貯留せしめる貯水タンク５と、この貯水タンク５の重量を測定する重量測定装置としての例えばロードセンサ７と、前記貯水タンク５の底面に貯水タンク５内の雨水を排出する開閉自在な排水バルブ９とを備えている。
【００１０】
前記貯水タンク５を囲繞し、上方を開放した外筒１１が設けられており、この外筒１１の上部における内部には受水口１３を備えた漏斗１５が設けられている。前記貯水タンク５の外周における下部にはブラケット１７を介して円盤状の下部プレート１９が取り付けられている。また、前記貯水タンク５の下部に設けられた貯水出口２１には前記排水バルブ９が設けられていると共にこの排水バルブ９の下部には排水口２３が設けられている。しかも、この排水口２３は前記下部プレート１９を貫通して下方へ突出されている。前記排水バルブ９には開閉を行うためのバルブ作動装置２５が連結されている。排水バルブ９とバルブ作動装置２５とで通常の電磁弁を構成している。
【００１１】
前記貯水タンク５の外周における例えば上下方向のほぼ中央部にはリング部材２７が装着されており、このリング部材２７の外周には適宜な間隔例えば１２０度間隔で上下方向へ延伸したバー２９の上端が取り付けられている。このバー２９の下端には円盤状の下部プレート３１が取り付けられている。そして、この下部プレート３１上には前記ロードセンサ７が設けられている。
【００１２】
前記外筒１１の外周における上下方向のほぼ中央部の図１において左右部には支持プレート３３Ｌ、３３Ｒが一体化されており、この支持プレート３３Ｌ、３３Ｒの外側には上下方向へ延伸した支持フレーム３５Ｌ、３５Ｒが設けられている。この支持フレーム３５Ｌ、３５Ｒの下部はボルトなどで下部フレーム３７に取り付けられている。
【００１３】
前記支持フレーム３５Ｌ、３５Ｒと前記支持プレート３３Ｌ、３３Ｒとには自動水平機構のうちの一方の方向例えば前後方向に水平自在な第１水平機構３９が特に図１、図３に示されているように設けられている。より詳細には、前記支持フレーム３５Ｌ、３５Ｒの上端部にはＵ字形状の溝４１が形成されていると共に支持フレーム３５Ｌ、３５Ｒの上下方向における中央部より上方部には前後方向図３において左右方向には長穴４３が形成されている。また、前記支持プレート３３Ｌ、３３Ｒの上部にはピン４５が取り付けられていると共に前記長穴４３には固定用ボルト４７が取り付けられるように設けられている。
【００１４】
前記外筒１１と前記リング部材２７には自動水平機構のうちの他方の方向例えば左右方向に水平自在な第２水平機構４９が特に図４、図５および図７に示されているように設けられている。より詳細には、前記外筒１１の内周における前後図４において上下、図５および図７においては左右には、左右方向へ延伸した支持バー５１Ｆ、５１Ｂが前記リング部材２７の高さとほぼ同じ高さ位置に溶接などで一体的に固定されている。そして、支持バー５１Ｆ、５１Ｂの左右方向の真ん中の位置にはＵ字形状の溝５３が形成されている。一方、前記リング部材２７の外周における前後にはピン５５が取り付けられている。
【００１５】
上記構成により、降られた雨水は漏斗１５の受水口１３を経て貯水タンク５に一時的に貯留される。そして、貯水タンク５に溜められた雨水はロードセンサ７により定期的に測定され、バルブ作動装置２５を作動させ排水バルブ９を閉じている状態から開いた状態にすると、貯水出口２１を経て排水口２３から下方へ流れて外部に放出されて降雨量を計測することができる。
【００１６】
雨量計１を設置する際には、支持フレーム本体としての下部フレーム３７が設置場所に置かれると、雨量計本体３のうちの支持フレーム３５Ｌ、３５Ｒの上端部に形成されているＵ字形状の溝４１に、支持プレート３３Ｌ、３３Ｒの上部に取り付けられているピン４５がはまりこんでいるので、一方の方向例えば前後方向における水平が自動的に調整される。その後、固定用ボルト４７で固定することで前後方向の水平が維持された状態で固定されることになる。
【００１７】
支持バー５１Ｆ、５１Ｂの左右方向の真ん中の位置に形成されているＵ字形状の溝５３に、リング部材２７の外周における前後に取り付けられているピン５５がはまりこんでいるので、他方の方向例えば左右方向における水平を自動的に調整することができる。
【００１８】
したがって、水準器を不必要とすると共に人手によらず自動で水平に調整することができる。
【００１９】
前記自動水平機構が、支持フレーム本体としての下部フレーム３７に設置場所に置かれて、雨量計本体のうちの支持フレーム３５Ｌ、３５Ｒの上端部に形成されているＵ字形状の溝４１に、支持プレート３３Ｌ、３３Ｒの上部に取り付けられているピン４５がはまりこんでいる構造の前後方向に水平自在な第１水平機構３９と、支持バー５１Ｆ、５１Ｂの左右方向の真ん中の位置に形成されているＵ字形状の溝５３に、リング部材２７の外周における前後に取り付けられているピン５５がはまりこんでいる構造の左右方向に水平自在な第２水平機構４９とからなっているから、前後左右方向の２方向の調整を、簡単かつ容易に行うことができる。
【００２０】
図８には雨量計１の降雨量を自動的に計測する制御装置５７の構成ブロック図が示されている。図８において、雨量計１には前記ロードセンサ７をコントロールするアンプ５９が備えられている。また、前記制御装置５７は例えば変換部６１、テレビ６３および表示板６５から構成されており、前記変換部６１はＡＣ／ＤＣ部６７、Ａ／Ｄ変換部６９、時計７１、雨量演算処理部７３、ビデオ信号出力部７５、シリアル出力部７７および接点出力部７９からなっている。
【００２１】
前記バルブ開閉信号は、１０分間隔で監視し、上限重量以上の時に排水バルブ９を開け、また、２４時間無降雨でかつ下限重量以上であれば（貯水タンク５に貯まっているいる状態）排水バルブ９が開きます。なお、バルブ開閉時間は約３０秒です。累加雨量は、降雨を積算した値である。排水バルブ９の開の時は、排水バルブ９が開く直前の降雨に等しいとして補正する。また、２４時間無降雨の場合、累加雨量を０ｍｍにリセットされる。また、雨量強度は、１０分間の降雨の強度を演算するものである。
【００２２】
上記構成により、ＡＣ／ＤＣ部６７からアンプ５９へ電源を与えると、アンプ５９を介してロードセンサ７がコントロールされる状態下になる。この状態で、ロードセンサ７で検出された雨量信号がアンプ５９、Ａ／Ｄ変換部６９を経て雨量演算処理部７３に送られると共に、雨量演算処理部７３から開閉信号が排水バルブ９へ送られて排水バルブ９が開かれる。雨量演算処理部７３で演算処理された信号がビデオ信号出力部７５へ送られ、さらにこのビデオ信号出力部７５から雨量信号（ＮＴＳＣ信号）がテレビ６３へ送られることにより、テレビ６３では雨量強度、累加雨量、警報および時刻が表示されて人手に知らせることができる。
【００２３】
前記雨量演算処理部７３で演算処理された信号がシリアル出力部７７へ送られ、さらにこのシリアル出力部７７から雨量信号（ＲＣ２３２Ｃ信号）が表示板６５へ送られることにより、表示板６５では雨量強度、累加雨量、警報および時刻が表示されて人手に知らせることができる。また、前記雨量演算処理部７３で演算処理された信号が接点出力部７９へ送られることにより、雨量パルス信号、警報信号が出力されることになる。
【００２４】
なお、この発明は前述した実施の形態に限定されることなく、適宜な変更を行うことによりその他の態様で実施し得るものである。
【００２５】
【発明の効果】
以上のごとき発明の実施の形態の説明から理解されるように、請求項１の発明によれば、降られた雨水は貯水タンクに一時的に貯留される。そして、貯水タンクに溜められた雨水は重量測定装置により定期的に測定されて降雨量が計測される。雨量計を設置する際には、支持フレーム本体が設置場所に置かれると、外筒を自動水平機構の第１水平機構、第２水平機構により自動的に水平を調整することができる。また、自動水平機構が、支持フレーム本体に対して雨量計本体を前後左右方向の２方向のうち一方の方向に水平自在な第１水平機構と、前記外筒に対して前記貯水タンクを他方の方向に水平自在な第２水平機構とからなっており、しかも、第１水平機構が、支持フレームの上端部に形成されたＵ字形状の溝と、支持フレームの上下方向における中央部より上方部において前後方向に形成された長穴と、前記支持プレートの上部に取り付けられ、前記溝にはまり込むピンと、前記長穴に取り付けられる固定用ボルトとで構成されていると共に、第２水平機構が、前記外筒の内周における前後において、前記リング部材の外側に一体化され、左右方向へ延伸した支持バーと、この支持バーの左右方向の真ん中の位置に形成されたＵ字形状の溝と、前記リング部材に取り付けられ、前記溝にはまり込んだピンとで構成されているから、前後左右方向の２方向の調整を、簡単かつ容易に行うことができる。
【００２６】
而して、水準器を不必要とすると共に人手によらず自動で水平に調整することができる。
【図面の簡単な説明】
【図１】  この発明の雨量計の正面断面図である。
【図２】  雨量計本体の側面断面図である。
【図３】  図１における左側面図である。
【図４】    図１における平面図である。
【図５】  図２における平面図である。
【図６】  雨量計本体の斜視図である。
【図７】  雨量計を上方から斜視図である。
【図８】  雨量計を制御する制御装置の構成ブロック図である。
【図９】  従来の転倒ます型雨量計の設置状態を示した正面図である。
【図１０】    図９におけるＸ矢視部の拡大図である。
【符号の説明】
１  雨量計
３  雨量計本体
５  貯水タンク
７  ロードセンサ（重量測定装置）
９  排水バルブ
１１  外筒
１３  受水口
１５  漏斗
１９  下部プレート
２７  リング部材
２９  バー
３１  下部プレート
３３Ｌ、３３Ｒ  支持プレート
３５Ｌ、３５Ｒ  支持フレーム
３７  下部フレーム
３９  第１水平機構（自動水平機構）
４１  溝
４３  長穴
４５  ピン
４７  固定ボルト
４９  第２水平機構（自動水平機構）
５１Ｆ、５１Ｂ  支持バー
５３  溝
５５  ピン
５７  制御装置
【図１】
0003857575.tif 000002
【図２】
0003857575.tif 000003
【図３】
0003857575.tif 000004
【図４】
0003857575.tif 000005
【図５】
0003857575.tif 000006
【図６】
0003857575.tif 000007
【図７】
0003857575.tif 000008
【図８】
0003857575.tif 000009
【図９】
0003857575.tif 000010
【図１０】
0003857575.tif 000011